(57)【要約】【課題】簡易で正確な漏水の有無を判断する方法の提供。【解決手段】漏水調査方法は、上水道配水管１から分岐させる分水栓２に接続された鉛製給水管３に適用される。分水栓２に接続された給水管３は、一又は複数個の止水栓を介して水道メータ４に接続され、さらに水道メータ４から家庭や工場等の蛇口１０へと延びている。本調査方法は、特に分水栓２から水道メータ４の間の漏水調査について適用される。本調査方法を実施ために、まず、ボックス１１内に収納されたその止水栓５を閉め、給水管３から水道メータ４を取り外す。一定時間経過後、例えば６時間経過後、前記止水栓５を開けて、そこから水を採取する。その採取した水の鉛の溶出濃度を計測し、基準データと照らし合わせて、漏水の有無を判断する。【選択図】　　　図２
2004012328.tif 000002
【特許請求の範囲】
【請求項１】
管路の漏水について調査する方法であって、
管路内に溶出した管路素材成分を計測することで、管路の漏水の有無又は漏水箇所を調査する
ことを特徴とする漏水調査方法。
【請求項２】
前記管路は、鉛管からなる給水管とされ、
給水管路内に溶出した鉛の溶出濃度又は溶出量を計測する
ことを特徴とする請求項１に記載の漏水調査方法。
【請求項３】
前記給水管は、配水管から分岐された管路であり、
その管路の中途若しくは先端を止水し、
一定時間経過後、その止水を開放して水を採取し、
その採取した水の鉛の溶出濃度又は溶出量を計測し、
給水管の鉛含有量、直径及び長さ等の管路情報と、前記溶出濃度又は溶出量に基づき、前記給水管の漏水の有無、又は漏水箇所を調査する
ことを特徴とする請求項２に記載の漏水調査方法。
【請求項４】
配水管から分岐させる分水栓に接続された鉛製の給水管の漏水調査方法であって、
前記給水管の中途若しくは先端を止水し、
一定時間経過後、前記止水を解除して水を採取し、
その採取した水の鉛の溶出濃度又は溶出量を計測し、
給水管の鉛含有量、直径及び長さ等の管路情報と、前記溶出濃度又は溶出量に基づき、前記給水管の漏水の有無、又は漏水箇所を調査する
ことを特徴とする漏水調査方法。
【請求項５】
配水管より分岐させる分水栓から水道メータ手前の止水栓までの鉛製給水管の漏水調査方法であって、
前記止水栓を閉め、
一定時間経過後、止水栓を開けて水を採取し、
その採取した水の鉛の溶出濃度又は溶出量を計測し、
給水管の鉛の含有量、直径、長さ等の管路情報と、前記溶出濃度又は溶出量に基づき、前記給水管の漏水の有無、又は漏水箇所を調査する
ことを特徴とする漏水調査方法。
【請求項６】
前記止水栓に接続され、水道メータが収納されたボックスより上方に延出し、先端部が略逆Ｕ字状に折り返されたパイプ状の治具を使用して水を採取する
ことを特徴とする請求項５に記載の漏水調査方法。
【発明の詳細な説明】
【０００１】
【発明の属する技術分野】
本発明は、水道管の漏水調査方法に関するものである。
【０００２】
【従来の技術】
従来、水道管の漏水を調査する方法として、音聴法、電子式漏水発見器、相関式漏水発見装置等が使用されてきた。これらは、漏水によって生じる音を捕らえ漏水箇所を発見する方法である。
【０００３】
【発明が解決しようとする課題】
上述のような方法は、漏水によって生じる音から判断することが大事になる。しかしながら、市街地等では、２４時間、生活音例えば車の走行音がして、漏水音の計測の邪魔となっている。その結果、音源を正確に把握できず、正確な漏水箇所を判断できない。
【０００４】
本発明は、上記事情に鑑みてなされたものであり、その主たる目的は、簡易で正確に漏水の有無を判断する方法を提供することにある。
【０００５】
【課題を解決するための手段】
上記課題を解決するために、本発明は、管路の漏水について調査する方法であって、管路内に溶出した管路素材成分を計測することで、管路の漏水の有無又は漏水箇所を調査することを特徴とする。
【０００６】
また、好ましくは上記構成に加えて、前記管路は、鉛管からなる給水管とされ、給水管路内に溶出した鉛の溶出濃度又は溶出量を計測することを特徴とする漏水調査方法である。
【０００７】
また、好ましくは上記構成に加えて、前記給水管は、配水管から分岐された管路であり、その管路の中途若しくは先端を止水し、一定時間経過後、その止水を開放して水を採取し、その採取した水の鉛の溶出濃度又は溶出量を計測し、給水管の鉛含有量、直径及び長さ等の管路情報と、前記溶出濃度又は溶出量に基づき、前記給水管の漏水の有無、又は漏水箇所を調査することを特徴とする漏水調査方法である。
【０００８】
また、上記課題を解決するために、本発明は、配水管から分岐させる分水栓に接続された鉛製の給水管の漏水調査方法であって、前記給水管の中途若しくは先端を止水し、一定時間経過後、前記止水を解除して水を採取し、その採取した水の鉛の溶出濃度又は溶出量を計測し、給水管の鉛含有量、直径及び長さ等の管路情報と、前記溶出濃度又は溶出量に基づき、前記給水管の漏水の有無、又は漏水箇所を調査することを特徴とする。
【０００９】
また、上記課題を解決するために、本発明は、配水管より分岐させる分水栓から水道メータ手前の止水栓までの鉛製給水管の漏水調査方法であって、前記止水栓を閉め、一定時間経過後、止水栓を開けて水を採取し、その採取した水の鉛の溶出濃度又は溶出量を計測し、給水管の鉛の含有量、直径、長さ等の管路情報と、前記溶出濃度又は溶出量に基づき、前記給水管の漏水の有無、又は漏水箇所を調査することを特徴とする。
【００１０】
また、好ましくは上記構成に加えて、上記の止水栓に接続され、水道メータが収納されたボックスより上方に延出し、先端部が略逆Ｕ字状に折り返されたパイプ状の治具を使用して水を採取することを特徴とする漏水調査方法である。
【００１１】
【発明の実施の形態】
以下、本発明の漏水調査方法について、実施例に基づき更に詳細に説明する。図１は、上水道配水管から各家庭までの一般的な給水装置を示す概略図であり、図２は、図１の給水装置に本実施例の漏水調査方法を適用した場合の一実施例を示す概略図である。
本実施例の漏水調査方法は、鉛が水に溶出するという性質を利用するものである。
【００１２】
本実施例の漏水調査方法は、配水管１から分岐させる分水栓２に接続された給水管３に適用される。
分水栓２に接続された給水管３は、一又は複数個の止水栓５を介して水道メータ４に接続され、さらに水道メータ４から家庭や工場等の蛇口１０などへ延びている。本実施例は、特に分水栓２から水道メータ４の間の漏水調査について好適に適用される。
【００１３】
通常、水道メータ４は、その手前側（配水管１側）に隣接する止水栓５と共にボックス（メータ箱）１１内に収納されている。本実施例の調査方法を実施するには、まず、ボックス１１内に収納されたその止水栓５を閉め、給水管３から水道メータ４を取り外す。
【００１４】
そして、一定時間経過後、例えば６時間経過後、前記止水栓５を開けて、そこから水を採取する。このとき、分水栓２を閉めて、分水栓２から止水栓５までの水をポンプ等で全て採取するのがよい。又は、給水管３の直径や長さから、分水栓２から止水栓５までの間に溜まる水の量を事前に調べておき、分水栓２を開けたままで、止水栓５から一定量の水を採取するようにしても構わない。
【００１５】
また、水を採取する際には、図２に示すように、止水栓５に治具６を取り付けて水を採取するのが好ましい。この治具６は、パイプで形成されており、その一端は、止水栓５に接続可能とされており、他端は、ボックス１１の外部まで上方に延出し、先端部が略逆Ｕ字状に形成されている。その先端部には、開閉弁を設置するようにしてもよい。この場合、止水栓５を開けておいて、その代わりに、開閉弁にて開閉操作可能とされる。
そして、その採取した水の鉛の溶出濃度を計測する。その結果を、基準データと照らし合わせて、漏水の有無を判断する。
【００１６】
なお、基準データは、鉛管内に水を一定時間滞留させた後、その水に溶出した鉛の量や濃度を計測することで取得される。そして、基準データと前記実測データとの比較の際には、例えば、管の長さや直径の他、管に含まれる鉛の含有量（含有率）等が考慮される。
【００１７】
給水管に穴等が開いておらず、漏水がなければ、止水栓５を閉めて一定時間放置している間、分水栓２から止水栓５までの水は滞留していることになり、ほぼ基準データと変わらない鉛の溶出濃度が期待される。
【００１８】
一方、例えば、図３に示すように、漏水箇所が配水管１に近い場合、配水管１からその漏水箇所までは、水が循環している（流れている）こととなり、その漏水箇所から止水栓５までは滞留している。この場合、滞留水が大部分を占めるので、鉛の溶出濃度は、基準データより若干薄い程度となる。
【００１９】
また、図４に示すように、漏水箇所が止水栓５に近い場合、同様に配水管１からその漏水箇所までは、水が循環して（流れて）おり、その漏水箇所から止水栓５までは滞留している。しかし、この場合、滞留水があまりないので、鉛の溶出濃度は、基準データよりだいぶ薄くなる。
このように、漏水箇所が変わることで、鉛の溶出濃度が変わり、漏水の有無ひいては漏水箇所を判断することが可能である。
【００２０】
なお、調査前にしばらく水を使っていなかった場合などには、給水管３内で水が滞留し、すでに給水管３内に鉛が溶出していることがあるので、本調査方法を実施する際、止水栓５を閉める前に、蛇口１０や止水栓５等から水をある程度流すことが好ましい。
【００２１】
また、これと同様に、調査後においても、給水管３内の水を流してしまって、配水管１の水との対比で分析するのが好ましい。つまり、一定時間滞留させて水を採取した後、給水管３内に滞留していた水をすべて流し、止水栓５等から再び水を採取し、配水管１内を流れている水に溶出している鉛の溶出濃度を計測する。そして、給水管３内で滞留させた水に溶出した鉛の濃度と、配水管１内で溶出した鉛の濃度を比較し、より正確な給水管３内での鉛の溶出量を計測するようにしてもよい。なお、比較対象の水は、本調査を行なう前に、採取してもかまわない。
【００２２】
ところで、水道メータ４手前の止水栓５から水を採取する際に、分水栓２から止水栓５までの水を確実に採取することが難しい場合、できるだけ配水管１（分水栓２）に近い止水栓（図示省略）があれば、そこから水を採取することが好ましい。配水管１（分水栓２）に近い止水栓から水を採取する場合には、少量の水を採取するだけで漏水の有無が判断可能となるからである。つまり、配水管１（分水栓２）に近い止水栓から水を採取することから、その近い止水栓より水道メータ４側に漏水箇所がある場合、鉛の溶出濃度は薄くなるので、漏水があることが分かる。また、配水管１（分水栓２）からその止水栓までの間に漏水箇所がある場合でも、配水管１（分水栓２）からその止水栓までの距離は短いので、ほぼ全ての水を採取することが可能であり、基準データと比較することで漏水の有無を判断することが可能である。
このように、本実施例の漏水調査方法によれば、音聴法のように外部の雑音に左右されることなく、実施することができる。
【００２３】
なお、本発明の漏水調査方法は、上記実施例の構成に限らず適宜変更可能である。例えば、止水栓の代わりに、各家庭の蛇口を閉めておき、一定時間経過後、水を蛇口から採取するようにしても構わない。また、鉛管だけでなく、水に溶出する性質を持つ管種にも同様に適用可能である。さらに、一定時間止水できる箇所であるなら、同様の方法によって、漏水調査を行なうことが可能である。
【００２４】
【発明の効果】
以上詳述したように、本発明の漏水調査方法によれば、簡易で正確な漏水調査を行なうことが可能である
【図面の簡単な説明】
【図１】給水装置を示す概略図である。
【図２】図１の給水装置に本実施例の漏水調査方法を適用した場合の一実施例を示す概略図である。
【図３】漏水箇所が配水管に近い場合の概略参考図である。
【図４】漏水箇所が止水栓に近い場合の概略参考図である。
【符号の説明】
１　配水管
２　分水栓
３　給水管
４　水道メータ
５　止水栓
６　治具
１０　蛇口
１１　ボックス
【図１】
2004012328.tif 000003
【図２】
2004012328.tif 000004
【図３】
2004012328.tif 000005
【図４】
2004012328.tif 000006